(57)【特許請求の範囲】
【請求項１】
積層鉄板鉄心の中心に貫通孔を設け、この貫通孔にクランク軸を圧入または焼嵌め固定してなり、前記積層鉄板鉄心の外周に密着して複数個の断面弓形の板状永久磁石を配置し、前記複数個の永久磁石の外周を非磁性金属管で包囲固定してなる電動機の永久磁石回転子であって、前記中心に設けた貫通孔の近傍に永久磁石への圧迫を回避するために軸方向に貫通する逃げ孔を複数設け、前記複数の逃げ孔は周方向位置が前記永久磁石のそれぞれ隣り合う端部の中間部近傍と重なるように配置されてなることを特徴とする電動機の永久磁石回転子。
【請求項２】
積層鉄板鉄心の中心に貫通孔を設け、この貫通孔にクランク軸を圧入または焼嵌め固定してなり、前記積層鉄板鉄心の内部に複数個の断面弓形の板状永久磁石を内側に凸になるように埋設配置してなる電動機の永久磁石回転子であって、前記中心に設けた貫通孔の近傍に永久磁石への圧迫を回避するために軸方向に貫通する逃げ孔を複数設け、前記複数の逃げ孔は周方向位置が前記永久磁石のそれぞれの周方向中心位置近傍と重なるように配置されてなることを特徴とする電動機の永久磁石回転子。
【請求項３】
請求項１記載の永久磁石回転子を有する密閉型圧縮機。
【請求項４】
複数の逃げ孔を冷媒ガス経路の一部とした請求項３記載の密閉型圧縮機。
【請求項５】
請求項２記載の永久磁石回転子を有する密閉型圧縮機。
【請求項６】
複数の逃げ孔を冷媒ガス経路の一部とした請求項５記載の密閉型圧縮機。
【発明の詳細な説明】
【０００１】
【発明の属する技術分野】
本発明は、電動機の永久磁石回転子およびこれを用いた密閉型圧縮機に関するものである。
【０００２】
【従来の技術】
従来、密閉型圧縮機などに用いられる電動機の永久磁石回転子は特開平２−１８４２３１号公報、特開平５−３０４７５１号公報などに記載されているように、積層鉄板鉄心部を内側にして、その外側に複数の永久磁石を配置し、回転時の遠心力により磁石が飛散しないように、また磁石粉などが回転子外部に極力漏れないように回転子の外周部と軸方向両端面を覆って構成されるもの、あるいは特開平９−８４２８５号公報などに記載されているように、積層鉄板鉄心内部に複数の永久磁石を組み込み、軸方向両端面のみを覆って、磁石粉などが回転子外部に極力漏れないような構成にしている。これらの永久磁石回転子は、通常クランク軸に固定して使用し、その固定方法は圧入によるもの、また特開平７−１９４０７１号公報に記載されるような軸挿入孔の加熱による方法などがある。
【０００３】
また、従来のような永久磁石回転子を密閉型圧縮機に用いた場合、圧縮機構によって生じるアンバランスを矯正するために永久磁石回転子の軸方向一端または両端部に薄板材などを付加していた。
【０００４】
さらに、このような密閉型圧縮機において電動機の固定子は通常円周方向のハウジング（胴シェル）に密着して固定されているため、吸入から吐出に連通する冷媒通路として固定子外周に貫通溝を設けていた。
【０００５】
図１２に従来の永久磁石回転子を組み込んだ密閉型圧縮機の一例として、横型スクロール圧縮機を示し、以下図面に基づき説明する。図１２におけるスクロール圧縮機は、横型のハウジング（胴シェル）１の一端側の吸入口２から取り入れられた冷媒は可動スクロール３と固定スクロール４で構成される圧縮機構部で圧縮吐出され、矢印のように圧縮機構部外周近傍に設けられた貫通孔５から駆動部である電動機の固定子６の外周に設けられた貫通溝７を通過し、ハウジング１の他端側の圧縮機吐出口８から吐き出されるようになっている。
【０００６】
さらに詳しくは、前記圧縮機構部は可動スクロール３と固定スクロール４で構成される三日月型気室が固定子６と、永久磁石回転子を構成する積層鉄板鉄心９を貫通して積層鉄板鉄心９が固定され軸受部材１０、１１とにより支持されるクランク軸１２を介して伝達される電動機からの回転力を自転防止機構１３により変換される旋回運動により、外周から中心に向かって容積を縮小することにより構成される。このとき、前記クランク軸１２は、圧縮機構部からの負荷を受けて振れ回り運動を起こすため、アンバランスな状態となり、通常これを避けるため回転子端面に薄板材１４などのバランスウェイトを付加して、バランス調整を行なっていた。
【０００７】
【発明が解決しようとする課題】
しかしながら、従来の永久磁石回転子を構成する積層鉄板鉄心９にクランク軸１２を圧入または焼嵌め固定すると、積層鉄板鉄心９の中心に設けたクランク軸挿入用貫通孔の変形により積層鉄板鉄心９の外周あるいは内部に設置した永久磁石が割れ易く挿入性、信頼性に欠けるという問題がある。
【０００８】
また、密閉型圧縮機に従来のような永久磁石回転子を用い、アンバランスを矯正するために薄板材１４などのバランスウェイトを付加した場合、密閉型圧縮機は全長の長いものとなり、小型化、部品点数の削減、コストダウンなどの妨げとなっている。
【０００９】
さらに、このような密閉型圧縮機における電動機の固定子６には、吸入から吐出に連通する冷媒通路として外周に貫通溝７を設けていたため、固定子６の固定が不安定となり、騒音、振動低下の妨げとなっている。
【００１０】
本発明はこのような従来の課題を解決するものであり、クランク軸の圧入または焼嵌め固定による永久磁石の割れを防止し、信頼性に優れた永久磁石回転子を提供し、またこれを用いて、小型、低コスト、低騒音、低振動な密閉型圧縮機を提供することを目的とする。
【００１１】
【課題を解決するための手段】
上記課題を解決するために本発明は、永久磁石回転子の積層鉄板鉄心の中心に貫通孔を設け、この貫通孔の近傍外周に逃げ孔を設けたり、またこの逃げ孔を利用して、その永久磁石回転子を用いた密閉型圧縮機の回転アンバランスを補正したり、あるいは冷媒通路に逃げ孔を利用するものである。
【００１２】
上記永久磁石回転子の積層鉄板鉄心の中心の貫通孔近傍外周に逃げ孔を設けることによって、積層鉄板鉄心外周あるいは内部に設置した永久磁石の割れを防止し、挿入性、信頼性に優れた永久磁石回転子が得られ、またこの逃げ孔を持つ永久磁石回転子を用いることにより、小型、低コスト、低騒音、低振動な密閉型圧縮機が得られる。
【００１３】
【発明の実施の形態】
請求項１記載の発明の電動機の永久磁石回転子は、積層鉄板鉄心の中心に貫通孔を設け、この貫通孔にクランク軸を圧入または焼嵌め固定してなり、前記積層鉄板鉄心の外周に密着して複数個の断面弓形の板状永久磁石を配置し、前記複数個の永久磁石の外周を非磁性金属管で包囲固定してなる電動機の永久磁石回転子であって、前記中心に設けた貫通孔の近傍に永久磁石への圧迫を回避するために軸方向に貫通する逃げ孔を複数設け、前記複数の逃げ孔は周方向位置が前記永久磁石のそれぞれ隣り合う端部の中間部近傍と重なるように配置されてなるものである。
【００１４】
そしてこの構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心外周に設置した永久磁石の割れを防止でき、また、クランク軸の圧入または焼嵌め固定時に、外周に配置された複数個の弓形の永久磁石が積層鉄板鉄心の変形により非磁性金属管に当たり割れることを防止でき、さらに、クランク軸の圧入または焼嵌め固定時に、外周に配置された複数個の弓形の永久磁石の円周方向から見た両端部が積層鉄板鉄心の変形により押されて、円周方向から見た永久磁石の中心付近で非磁性金属管に当たり割れることを確実に防止でき、挿入性、信頼性に優れる永久磁石回転子が得られる。
【００１５】
請求項２記載の発明の電動機の永久磁石回転子は、積層鉄板鉄心の中心に貫通孔を設け、この貫通孔にクランク軸を圧入または焼嵌め固定してなり、前記積層鉄板鉄心の内部に複数個の断面弓形の板状永久磁石を内側に凸になるように埋設配置してなる電動機の永久磁石回転子であって、前記中心に設けた貫通孔の近傍に永久磁石への圧迫を回避するために軸方向に貫通する逃げ孔を複数設け、前記複数の逃げ孔は周方向位置が前記永久磁石のそれぞれの周方向中心位置近傍と重なるように配置されてなるものである。
【００１６】
そしてこの構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心の内部に設置した永久磁石の割れを防止でき、また、積層鉄板鉄心内に効率的に逃げ部を配置でき、また永久磁石全体に対して割れを防止でき、さらに、クランク軸の圧入または焼嵌め固定時に、積層鉄板鉄心内部に配置された複数個の弓形の永久磁石の円周方向から見た中心付近が積層鉄板鉄心の変形により押されて、円周方向から見た永久磁石の中心付近が積層鉄板鉄心内部で割れることを確実に防止でき、挿入性、信頼性に優れる永久磁石回転子が得られる。
【００１７】
請求項３記載の発明の密閉型圧縮機は、請求項１記載の永久磁石回転子を有するものである。
そしてこの構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心外周に設置した永久磁石の割れを防止でき、また、クランク軸の圧入または焼嵌め固定時に、外周に配置された複数個の弓形の永久磁石が積層鉄板鉄心の変形により非磁性金属管に当たり割れることを防止でき、さらに、クランク軸の圧入または焼嵌め固定時に、外周に配置された複数個の弓形の永久磁石の円周方向から見た両端部が積層鉄板鉄心の変形により押されて、円周方向から見た永久磁石の中心付近で非磁性金属管に当たり割れることを確実に防止でき、挿入性、信頼性に優れる永久磁石回転子を備え、生産性に優れた密閉型圧縮機が得られる。
【００１８】
請求項４記載の発明の密閉型圧縮機は、請求項３記載の密閉型圧縮機において、複数の逃げ孔を冷媒ガス経路の一部としたものである。
そしてこの構成によれば、密閉型圧縮機における電動機の固定子外周に、吸入口から吐出口に連通する冷媒通路である貫通溝を設ける必要が無く、固定子を円周方向のハウジング（胴シェル）に密着して確実に固定できるため、低騒音、低振動な密閉型圧縮機を得ることができる。
【００１９】
請求項５記載の発明の密閉型圧縮機は、請求項２記載の永久磁石回転子を有するものである。
そしてこの構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心の内部に設置した永久磁石の割れを防止でき、また、積層鉄板鉄心内に効率的に逃げ部を配置でき、また永久磁石全体に対して割れを防止でき、さらに、クランク軸の圧入または焼嵌め固定時に、積層鉄板鉄心内部に配置された複数個の弓形の永久磁石の円周方向から見た中心付近が積層鉄板鉄心の変形により押されて、円周方向から見た永久磁石の中心付近が積層鉄板鉄心内部で割れることを確実に防止でき、挿入性、信頼性に優れる永久磁石回転子を備え、生産性に優れた密閉型圧縮機が得られる。
【００２０】
請求項６記載の発明の密閉型圧縮機は、請求項５記載の密閉型圧縮機において複数の逃げ孔を冷媒ガス経路の一部としたものである。
そしてこの構成によれば、密閉型圧縮機における電動機の固定子外周に、吸入口から吐出口に連通する冷媒通路である貫通溝を設ける必要が無く、固定子を円周方向のハウジング（胴シェル）に密着して確実に固定できるため、低騒音、低振動な密閉型圧縮機を得ることができる。
【００２１】
【実施例】
以下、本発明の実施例について図面を参照して説明する。なお図中、前記従来例と同一部材は同一符号で示し、その詳細説明は省略する。
【００２２】
（実施例１）
図１〜図４において、積層鉄板鉄心９には中心にクランク軸を圧入または焼嵌め固定するするための貫通孔１５があり、外周に弓状の永久磁石１６を複数個配置し、回転時の遠心力により磁石が飛散しないように、また磁石粉などが回転子外部に極力漏れないように回転子の外周部を非磁性金属管１７で、また軸方向両端面をプレート１８で覆い、かしめピン１９で一体化して永久磁石回転子を構成している。
【００２３】
ここで、比較例１としての図３に示す永久磁石回転子は、積層鉄板鉄心９の中心に設けられたクランク軸挿入用の貫通孔１５が、圧入または焼嵌めによる貫通孔１５内面からの加熱により半径方向へ広がり、矢印で示すような積層鉄板鉄心９の変形を起こし、外周に配置した永久磁石１６を圧迫し、非磁性金属管１７と当たり、図に示すような割れを起こしやすい。また、このような割れは、外周部に配置された弓状の永久磁石１６の円周方向から見た両端部の圧迫によるものが多い。
【００２４】
そこで、実施例１においては積層鉄板鉄心９の中心に設けた貫通孔１５の近傍で貫通孔１５を取り囲むように貫通した断面円弧状の複数の逃げ孔２０を設けている。これより図４に示すように、積層鉄板鉄心９の中心に設けられた、クランク軸挿入用の貫通孔１５の圧入または焼嵌めによる貫通孔１５内面からの加熱による半径方向への広がりは、矢印で示すように積層鉄板鉄心９の内部で吸収され、外周に配置された永久磁石１６への圧迫を回避することができる。特に、永久磁石１６が弓状の場合、この貫通した逃げ孔２０を円周方向から見て複数の永久磁石間に配置することにより、前述の回避効果を確実なものとすることができる。なお、前記プレート１８にも前記逃げ孔２０に繋がる孔部１８ａならびに貫通孔１５に繋がる孔部１８ｂが形成されている。
【００２５】
（実施例２）
図５〜図８において、積層鉄板鉄心９は中心にクランク軸を圧入または焼嵌め固定するするための貫通孔１５があり、積層鉄板鉄心９の内部に弓状の永久磁石１６を複数個配置し軸方向両端面をプレート１８で覆い、かしめピン１９で一体化して永久磁石回転子を構成している。
【００２６】
ここで、比較例２としての図７に示す永久磁石回転子は、積層鉄板鉄心９の中心に設けられたクランク軸挿入用の貫通孔１５が、圧入または焼嵌めによる貫通孔１５内面からの加熱により半径方向へ広がり、矢印で示すような積層鉄板鉄心９の変形を起こし、内部に配置した永久磁石１６を圧迫し、図に示すような割れを起こしやすい。また、このような割れは、内部に配置された弓状の永久磁石１６の円周方向から見た中心付近の圧迫によるものが多い。
【００２７】
そこで、実施例２においては積層鉄板鉄心９の中心に設けた貫通孔１５の近傍で貫通孔１５を取り囲むように貫通した断面円弧状の複数の逃げ孔２０を設けている。これより図８に示すように、積層鉄板鉄心９の中心に設けられた、クランク軸挿入用の貫通孔１５の圧入または焼嵌めによる貫通孔１５内面からの加熱による半径方向への広がりは、矢印で示すように積層鉄板鉄心９の内部で吸収され、内部に配置された永久磁石１６への圧迫を回避することができる。特に、永久磁石１６が弓状の場合、この貫通した逃げ孔２０を円周方向から見て複数の永久磁石と同方向に配置することにより、前述の回避効果を確実なものとすることができる。なお、前記プレート１８にも前記逃げ孔２０に繋がる孔部１８ａならびに貫通孔１５に繋がる孔部１８ｂが形成されている。
【００２８】
（実施例３）
図９〜図１１において、積層鉄板鉄心９は中心にクランク軸１２を圧入または焼嵌め固定するするための貫通孔１５があり、外周に弓状の永久磁石１６を複数個配置し、回転時の遠心力により磁石が飛散しないように、また磁石粉などが回転子外部に極力漏れないように回転子の外周部を非磁性金属管１７で、また軸方向両端面をプレート１８で覆い、かしめピン１９で一体化して永久磁石回転子を構成している。
【００２９】
ここで、前記従来例で述べた図１２に示す密閉型圧縮機ではクランク軸は、圧縮機構部からの負荷を受けて振れ回り運動を起こすため、アンバランスな状態となり、通常これを避けるため回転子端面に薄板材などのバランスウェイトを付加して、バランス調整を行なっていた。
【００３０】
これに対し、本実施例３においては積層鉄板鉄心９の中心に設けた貫通孔１５の近傍で貫通孔１５を取り囲むように貫通した断面円弧状の複数の逃げ孔２０を設けるとともに、逃げ孔２０の大きさをそれぞれ異ならせるか、少なくとも１つの逃げ孔２０の大きさを他の逃げ孔２０の大きさと異ならせることにより、バランス調整している。そしてこの構成によれば、アンバランスを矯正するための薄板材などを廃止でき、小型化、部品点数の削減、コストダウンなどに優れた密閉型圧縮機を得ることができる。なお、前記プレート１８にも前記逃げ孔２０に繋がる孔部１８ａならびに貫通孔１５に繋がる孔部１８ｂが形成されている。
【００３１】
（実施例４）
図１１において、積層鉄板鉄心９は中心にクランク軸１２を圧入または焼嵌め固定するするための貫通孔１５があり、外周に弓状の永久磁石（図示せず）が複数個配置され、回転時の遠心力により磁石が飛散しないように、また磁石粉などが回転子外部に極力漏れないように回転子の外周部を非磁性金属管１７と軸方向両端面をプレート１８により覆い、かしめピンで一体化して前記実施例３と同様の永久磁石回転子を構成している。
【００３２】
ここで、前記従来例で述べた図１２に示す密閉型圧縮機では、圧縮機の吸入口２から取り入れられた冷媒は圧縮機構部で圧縮吐出され、矢印で示すように圧縮機構部外周付近に設けられた貫通孔５から駆動部である電動機の固定子６の外周に設けられた貫通溝７を通過し、ハウジング１の他端側の圧縮機吐出口８から吐き出されるようになっている。
【００３３】
そこで、実施例４においては、前述の圧縮機構部で圧縮した冷媒を、永久磁石回転子の一方端面から他方端面に流通させるべく前記貫通孔１５の近傍で貫通孔１５を取り囲むように貫通した複数の逃げ孔２０を冷媒ガス経路の一部としている。なお、前記プレート１８にも前記逃げ孔２０に繋がる孔部１８ａならびに貫通孔１５に繋がる孔部１８ｂが形成されている。そしてこの構成によれば、密閉型圧縮機における電動機の固定子６の外周に、吸入口２から吐出口８に連通する冷媒通路である貫通溝７を設ける必要が無く、固定子６を円周方向のハウジング（胴シェル）１に密着して確実に固定できるため、低騒音、低振動な密閉型圧縮機を得ることができる。
【００３４】
【発明の効果】
上記実施例から明らかなように、請求項１記載の発明の電動機の永久磁石回転子は、積層鉄板鉄心の中心に貫通孔を設け、この貫通孔にクランク軸を圧入または焼嵌め固定してなり、前記積層鉄板鉄心の外周に密着して複数個の断面弓形の板状永久磁石を配置し、前記複数個の永久磁石の外周を非磁性金属管で包囲固定してなる電動機の永久磁石回転子であって、前記中心に設けた貫通孔の近傍に永久磁石への圧迫を回避するために軸方向に貫通する逃げ孔を複数設け、前記複数の逃げ孔は周方向位置が前記永久磁石のそれぞれ隣り合う端部の中間部近傍と重なるように配置されてなるもので、この構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心外周に設置した永久磁石の割れを防止でき、また、クランク軸の圧入または焼嵌め固定時に、外周に配置された複数個の弓形の永久磁石が積層鉄板鉄心の変形により非磁性金属管に当たり割れることを防止でき、さらに、クランク軸の圧入または焼嵌め固定時に、外周に配置された複数個の弓形の永久磁石の円周方向から見た両端部が積層鉄板鉄心の変形により押されて、円周方向から見た永久磁石の中心付近で非磁性金属管に当たり割れることを確実に防止でき、挿入性、信頼性に優れる永久磁石回転子が得られる。
【００３５】
請求項２記載の発明の電動機の永久磁石回転子は、積層鉄板鉄心の中心に貫通孔を設け、この貫通孔にクランク軸を圧入または焼嵌め固定してなり、前記積層鉄板鉄心の内部に複数個の断面弓形の板状永久磁石を内側に凸になるように埋設配置してなる電動機の永久磁石回転子であって、前記中心に設けた貫通孔の近傍に永久磁石への圧迫を回避するために軸方向に貫通する逃げ孔を複数設け、前記複数の逃げ孔は周方向位置が前記永久磁石のそれぞれの周方向中心位置近傍と重なるように配置されてなるもので、この構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心の内部に設置した永久磁石の割れを防止でき、また、積層鉄板鉄心内に効率的に逃げ部を配置でき、また永久磁石全体に対して割れを防止でき、さらに、クランク軸の圧入または焼嵌め固定時に、積層鉄板鉄心内部に配置された複数個の弓形の永久磁石の円周方向から見た中心付近が積層鉄板鉄心の変形により押されて、円周方向から見た永久磁石の中心付近が積層鉄板鉄心内部で割れることを確実に防止でき、挿入性、信頼性に優れる永久磁石回転子が得られる。
【００３６】
請求項３記載の発明の密閉型圧縮機は、請求項１記載の永久磁石回転子を有するもので、この構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心外周に設置した永久磁石の割れを防止でき、また、クランク軸の圧入または焼嵌め固定時に、外周に配置された複数個の弓形の永久磁石が積層鉄板鉄心の変形により非磁性金属管に当たり割れることを防止でき、さらに、クランク軸の圧入または焼嵌め固定時に、外周に配置された複数個の弓形の永久磁石の円周方向から見た両端部が積層鉄板鉄心の変形により押されて、円周方向から見た永久磁石の中心付近で非磁性金属管に当たり割れることを確実に防止でき、挿入性、信頼性に優れる永久磁石回転子を備え、生産性に優れた密閉型圧縮機が得られる。
【００３７】
請求項４記載の発明の密閉型圧縮機は、請求項３記載の密閉型圧縮機において、複数の逃げ孔を冷媒ガス経路の一部としたもので、この構成によれば、密閉型圧縮機における電動機の固定子外周に、吸入口から吐出口に連通する冷媒通路である貫通溝を設ける必要が無く、固定子を円周方向のハウジング（胴シェル）に密着して確実に固定できるため、低騒音、低振動な密閉型圧縮機を得ることができる。
【００３８】
請求項５記載の発明の密閉型圧縮機は、請求項２記載の永久磁石回転子を有するもので、この構成によれば、永久磁石回転子にクランク軸を圧入または焼嵌め固定する際、積層鉄板鉄心の中心に設けたクランク軸挿入用貫通孔の変形を積層鉄板鉄心内部で回避し、積層鉄板鉄心の内部に設置した永久磁石の割れを防止でき、また、積層鉄板鉄心内に効率的に逃げ部を配置でき、また永久磁石全体に対して割れを防止でき、さらに、クランク軸の圧入または焼嵌め固定時に、積層鉄板鉄心内部に配置された複数個の弓形の永久磁石の円周方向から見た中心付近が積層鉄板鉄心の変形により押されて、円周方向から見た永久磁石の中心付近が積層鉄板鉄心内部で割れることを確実に防止でき、挿入性、信頼性に優れる永久磁石回転子を備え、生産性に優れた密閉型圧縮機が得られる。
【００３９】
請求項６記載の発明の密閉型圧縮機は、請求項５記載の密閉型圧縮機において複数の逃げ孔を冷媒ガス経路の一部としたものであり、この構成によれば、密閉型圧縮機における電動機の固定子外周に、吸入口から吐出口に連通する冷媒通路である貫通溝を設ける必要が無く、固定子を円周方向のハウジング（胴シェル）に密着して確実に固定できるため、低騒音、低振動な密閉型圧縮機を得ることができる。
【図面の簡単な説明】
【図１】  本発明の実施例１に記載の永久磁石回転子の横断面図
【図２】  図１のＸ−Ｘ断面図
【図３】  比較例１による積層鉄板鉄心の変形に伴う永久磁石の割れ状態を示す横断面図
【図４】  本発明の実施例１に記載の永久磁石回転子の拡大横断面図
【図５】  本発明の実施例２に記載の永久磁石回転子の横断面図
【図６】  図５のＹ−Ｙ断面図
【図７】  比較例２による積層鉄板鉄心の変形に伴う永久磁石の割れ状態を示す横断面図
【図８】  本発明の実施例２に記載の永久磁石回転子の拡大横断面図
【図９】  本発明の実施例３に記載の永久磁石回転子の拡大横断面図
【図１０】  図９のＺ−Ｚ断面図
【図１１】  本発明の実施例３に記載の永久磁石回転子を用いた密閉型圧縮機の断面図
【図１２】  従来の密閉型圧縮機の断面図
【符号の説明】
１              ハウジング
２              吸入口
６              固定子
８              吐出口
９              積層鉄板鉄心
１２              クランク軸
１５              貫通孔
１６              永久磁石
１７              非磁性金属管
１８              プレート
１８ａ，１８ｂ    孔部
１９              かしめピン
２０              逃げ孔
【図１】
0003654806.tif 000002
【図２】
0003654806.tif 000003
【図３】
0003654806.tif 000004
【図４】
0003654806.tif 000005
【図５】
0003654806.tif 000006
【図６】
0003654806.tif 000007
【図７】
0003654806.tif 000008
【図８】
0003654806.tif 000009
【図９】
0003654806.tif 000010
【図１０】
0003654806.tif 000011
【図１１】
0003654806.tif 000012
【図１２】
0003654806.tif 000013